(57)【要約】【課題】光源部が照射する色光の三原色に対応する三色の光の光量を効率的に精度よく調整する。【解決手段】第２の画像読取制御部は、緑色発光ダイオードのみが点灯した状態における基準白色板による反射光から読み取った画像信号、青色発光ダイオードのみが点灯した状態における基準白色板による反射光から読み取った画像信号、赤色発光ダイオードのみが点灯した状態における基準白色板による反射光から読み取った画像信号を密着型イメージセンサから取得し、緑色発光ダイオードの光量に対する赤色発光ダイオード及び青色発光ダイオードそれぞれの光量比を算出し、算出した光量比が目標範囲内でない場合は、光量比が目標範囲内にないと判定された赤色発光ダイオード及び青色発光ダイオードの少なくともいずれかに対し、ＬＥＤ点灯終了時間を調整範囲内で短くする変更を行う。【選択図】図８
2008124985.tif 000002
【特許請求の範囲】
【請求項１】
光源部が照射する色光の三原色に対応する三色の光の反射光の光量をそれぞれ検出する光量検出手段と、この光量検出手段が検出した反射光それぞれの光量比を算出する光量比算出手段と、光源部が照射する三色の光それぞれの基準反射光の光量を前記光量検出手段が検出した場合に、前記光量比算出手段が算出した光量比が所定範囲内であるか否かを判定する判定手段と、この判定手段の判定結果に応じて、光源部が照射する緑色に対応する光の基準反射光の光量を基準にして、光源部が照射する三色の光の光量比をそれぞれ調整する光量比調整手段とを有する光源部制御装置。
【請求項２】
色光の三原色に対応する三色の光をそれぞれ照射する光源部と、この光源部が照射する三色の光の反射光の光量をそれぞれ検出する光量検出手段と、この光量検出手段が検出した反射光それぞれの光量比を算出する光量比算出手段と、前記光源部が照射する三色の光それぞれの基準反射光の光量を前記光量検出手段が検出した場合に、前記光量比算出手段が算出した光量比が所定範囲内であるか否かを判定する判定手段と、この判定手段の判定結果に応じて、前記光源部が照射する緑色に対応する光の基準反射光の光量を基準にして、前記光源部が照射する三色の光の光量比をそれぞれ調整する光量比調整手段とを有する画像読取装置。
【請求項３】
前記光源部は、色光の三原色に対応する三色の光をそれぞれ照射する少なくとも三つの発光ダイオードを有する請求項２記載の画像読取装置。
【請求項４】
色光の三原色に対応する三色の光をそれぞれ照射する光源部と、この光源部が照射する三色の光の反射光の光量をそれぞれ検出する光量検出手段と、この光量検出手段が検出した反射光それぞれの光量比を算出する光量比算出手段と、前記光源部が照射する三色の光それぞれの基準反射光の光量を前記光量検出手段が検出した場合に、前記光量比算出手段が算出した光量比が所定範囲内であるか否かを判定する判定手段と、この判定手段の判定結果に応じて、前記光源部が照射する緑色に対応する光の基準反射光の光量を基準にして、前記光源部が照射する三色の光の光量比をそれぞれ調整する光量比調整手段と、この光量比調整手段が光量比を調整した三色の光の原稿による反射光の光量それぞれを前記光量検出手段が検出した結果に応じて画像を形成する画像形成部とを有する画像形成装置。
【請求項５】
前記光源部は、色光の三原色に対応する三色の光をそれぞれ照射する少なくとも三つの発光ダイオードを有する請求項４記載の画像形成装置。
【請求項６】
分光分布が発光ダイオードとは異なる発光体と、この発光体が照射する光の反射光の光量を色光の三原色に対応する三つの色ごとに検出する発光体光量検出手段とをさらに有し、前記光量検出手段及び前記発光体光量検出手段は、原稿の表裏関係にある面それぞれによる反射光の光量をそれぞれ検出し、前記画像形成部は、前記光量検出手段及び前記発光体光量検出手段が検出した結果それぞれに応じて画像を形成する請求項５記載の画像形成装置。
【請求項７】
前記画像形成部は、所定の階調の無彩色画像を形成する請求項４乃至６いずれか記載の画像形成装置。
【請求項８】
光源部が照射する色光の三原色に対応する三色の光の基準反射面による基準反射光の光量をそれぞれ取得するステップと、取得した基準反射光の光量比を算出するステップと、算出した光量比が所定範囲内であるか否かを判定するステップと、光量比の判定結果に応じて、光源部が照射する緑色に対応する光の基準反射光の光量を基準にして、光源部が照射する三色の光の光量比をそれぞれ調整するステップとをコンピュータに実行させる光源部制御プログラム。
【発明の詳細な説明】
【技術分野】
【０００１】
本発明は、光源部制御装置、画像読取装置、画像形成装置及び光源部制御プログラムに関するものである。
【背景技術】
【０００２】
特許文献１は、カラー原稿をモノトーン出力させる場合に、光を被写体に照射する３色のＬＥＤに与える電流量、又は３色のＬＥＤの照射時間を同じ比率で変化させる画像読取装置を開示する。また、特許文献２は、原稿の両面をそれぞれ読み取る第１の読取装置と第２の読取装置の光源の分光特性を同一又は近いものとする自動両面原稿読取装置を開示する。また、特許文献３は、赤色、緑色、青色のＬＥＤからの光を被写体に照射して取得した画像データから画像認識が不可能な場合、ＬＥＤの光量を変化させて再度画像データを取得する画像認識装置を開示する。また、特許文献４は、原稿による反射光を読み取るための光源の光量に基づいて、光源における１ラインの読み取りのための点灯時間を決定する画像入力装置を開示する。
【０００３】
【特許文献１】特開２００２−２３７９２２号公報
【特許文献２】特開２００２−１１１９７４号公報
【特許文献３】特開２００５−０８４７４１号公報
【特許文献４】特開２０００−３２４３０９号公報
【発明の開示】
【発明が解決しようとする課題】
【０００４】
しかしながら、上記従来例においては、画像を読み取るための光源となるＬＥＤの光量に個体差がある場合、又はＬＥＤの光量が経時変化する場合などに、ＬＥＤが照射する光の光量を効率的に調整することと、画像の読み取り精度をよくすることとを両立することができないという問題があった。
【０００５】
本発明は、光源部が照射する色光の三原色に対応する三色の光の光量を効率的に精度よく調整することができる光源部制御装置、画像読取装置、画像形成装置及び光源部制御プログラムを提供することを目的とする。
【課題を解決するための手段】
【０００６】
上記目的を達成するため、請求項１に係る本発明は、光源部が照射する色光の三原色に対応する三色の光の反射光の光量をそれぞれ検出する光量検出手段と、この光量検出手段が検出した反射光それぞれの光量比を算出する光量比算出手段と、光源部が照射する三色の光それぞれの基準反射光の光量を前記光量検出手段が検出した場合に、前記光量比算出手段が算出した光量比が所定範囲内であるか否かを判定する判定手段と、この判定手段の判定結果に応じて、光源部が照射する緑色に対応する光の基準反射光の光量を基準にして、光源部が照射する三色の光の光量比をそれぞれ調整する光量比調整手段とを有する光源部制御装置である。
【０００７】
請求項２に係る本発明は、色光の三原色に対応する三色の光をそれぞれ照射する光源部と、この光源部が照射する三色の光の反射光の光量をそれぞれ検出する光量検出手段と、この光量検出手段が検出した反射光それぞれの光量比を算出する光量比算出手段と、前記光源部が照射する三色の光それぞれの基準反射光の光量を前記光量検出手段が検出した場合に、前記光量比算出手段が算出した光量比が所定範囲内であるか否かを判定する判定手段と、この判定手段の判定結果に応じて、前記光源部が照射する緑色に対応する光の基準反射光の光量を基準にして、前記光源部が照射する三色の光の光量比をそれぞれ調整する光量比調整手段とを有する画像読取装置である。
【０００８】
請求項３に係る本発明は、前記光源部は、色光の三原色に対応する三色の光をそれぞれ照射する少なくとも三つの発光ダイオードを有する請求項２記載の画像読取装置である。
【０００９】
請求項４に係る本発明は、色光の三原色に対応する三色の光をそれぞれ照射する光源部と、この光源部が照射する三色の光の反射光の光量をそれぞれ検出する光量検出手段と、この光量検出手段が検出した反射光それぞれの光量比を算出する光量比算出手段と、前記光源部が照射する三色の光それぞれの基準反射光の光量を前記光量検出手段が検出した場合に、前記光量比算出手段が算出した光量比が所定範囲内であるか否かを判定する判定手段と、この判定手段の判定結果に応じて、前記光源部が照射する緑色に対応する光の基準反射光の光量を基準にして、前記光源部が照射する三色の光の光量比をそれぞれ調整する光量比調整手段と、この光量比調整手段が光量比を調整した三色の光の原稿による反射光の光量それぞれを前記光量検出手段が検出した結果に応じて画像を形成する画像形成部とを有する画像形成装置である。
【００１０】
請求項５に係る本発明は、前記光源部は、色光の三原色に対応する三色の光をそれぞれ照射する少なくとも三つの発光ダイオードを有する請求項４記載の画像形成装置である。
【００１１】
請求項６に係る本発明は、分光分布が発光ダイオードとは異なる発光体と、この発光体が照射する光の反射光の光量を色光の三原色に対応する三つの色ごとに検出する発光体光量検出手段とをさらに有し、前記光量検出手段及び前記発光体光量検出手段は、原稿の表裏関係にある面それぞれによる反射光の光量をそれぞれ検出し、前記画像形成部は、前記光量検出手段及び前記発光体光量検出手段が検出した結果それぞれに応じて画像を形成する請求項５記載の画像形成装置である。
【００１２】
請求項７に係る本発明は、前記画像形成部は、所定の階調の無彩色画像を形成する請求項４乃至６いずれか記載の画像形成装置である。
【００１３】
請求項８に係る本発明は、光源部が照射する色光の三原色に対応する三色の光の基準反射面による基準反射光の光量をそれぞれ取得するステップと、取得した基準反射光の光量比を算出するステップと、算出した光量比が所定範囲内であるか否かを判定するステップと、光量比の判定結果に応じて、光源部が照射する緑色に対応する光の基準反射光の光量を基準にして、光源部が照射する三色の光の光量比をそれぞれ調整するステップとをコンピュータに実行させる光源部制御プログラムである。
【発明の効果】
【００１４】
本発明によれば、光源部が照射する色光の三原色に対応する三色の光の光量を効率的に精度よく調整することができる。
【発明を実施するための最良の形態】
【００１５】
次に本発明の実施形態を図面に基づいて説明する。
図１において、画像形成装置１０の概要が示されている。画像形成装置１０は例えばカラー用のもので、画像形成部１２と、原稿読取装置１４とを有する。画像形成部１２は、例えばゼログラフィ方式のもので、用紙などのシートが積載された給紙トレイ１６を有し、この給紙トレイ１６からシート搬送路２０に供給されたシートに画像を形成するようになっている。
【００１６】
即ち、画像形成部１２は、感光体からなる像保持体２２と、この像保持体２２を一様に帯電する帯電器２４と、この帯電器２４により一様に帯電された像保持体２２に潜像を形成する露光装置２６と、この露光装置２６により形成された像保持体２２上の潜像をトナーで可視化する現像装置２８と、この現像装置２８により形成されたトナー像を中間転写ベルト３０に転写する一次転写装置３２と、像保持体２２に残ったトナーをクリーニングする像保持体クリーナ３４とを有する。露光装置２６は、例えばレーザ走査方式のもので、原稿読取装置１４の後述する第１の光電変換素子６２及び第２の光電変換素子１５６で読み取った原稿の画像をレーザのオンオフ信号に変えて出力する。現像装置２８は、例えばロータリ式のもので、Ｙ（イエロー）、Ｍ（マゼンタ）、Ｃ（シアン）、Ｋ（黒）の４色の現像器３６ａ，３６ｂ，３６ｃ，３６ｄが周囲に配置され、各色を現像するときに像保持体２２に対峙するよう回転する。一次転写装置３２は例えばコロトロンから構成され、この転写装置３２により４色のトナー像が中間転写ベルト３０に転写される。中間転写ベルト３０に転写されたトナー像は、二次転写装置３８によりシートに転写され、このシートが定着装置４０に送られ、この定着装置４０によりトナー像がシートに定着され、このトナー像が定着されたシートが排出トレイ４２に排出される。中間転写ベルト３０に残ったトナーは中間転写ベルトクリーナ４４により掻き落される。
【００１７】
シート搬送路２０には、レジストロール４６が配置されている。このレジストロール４６は、供給されたシートを一時停止させ、中間転写ベルト３０にトナー像が形成されるタイミングと同期してシートを二次転写装置３８にシートを供給するように制御される。
【００１８】
また、画像形成部１２は、後述するユーザインターフェイス（ＵＩ）装置１２０を介して入力される設定に応じて、所定の階調の白黒（無彩色）又はカラー（有彩色）の画像をシートに形成するようにされている。
【００１９】
原稿読取装置１４は、例えば自動原稿送り装置４８と、原稿の表面（第１の面）に形成された画像を読み取る縮小縮小光学系５０とを有する。また、自動原稿送り装置４８内には、原稿の裏面（第２の面）に形成された画像を読み取る密着型イメージセンサ（ＣＩＳ）５２が設けられている。つまり、原稿読取装置１４は、自動原稿送り装置４８により送られた原稿の表面を流し読みする機能と、プラテンガラス５４上に載置された原稿の表面を読み取る機能と、自動原稿送り装置４８により送られた原稿の両面（第１の面及び第２の面）をそれぞれ読み取る機能とを備えている。
【００２０】
図２は、原稿読取装置１４の概要を示す側面図である。
縮小光学系５０は、フルレートキャリッジ５６、ハーフレートキャリッジ５８、レンズ６０、光電変換素子６２及び処理制御部６４を有する。フルレートキャリッジ５６は、第１の光源６６と、第１ミラー６８とを有し、原稿の副走査方向（図２において左側から右側）を走査方向（副走査方向）として、原稿読取装置１４内で走査方向に全ストロークの移動をするようにされている。
【００２１】
第１の光源６６は、原稿の主走査方向に延びる例えばハロゲン又はキセノンなどのランプであり、例えば約５４５ｎｍの波長のエネルギーが最大であり、約４８５ｎｍ、約５８５ｎｍ、約６２０ｎｍの波長のエネルギーがその他の波長のエネルギーよりも大きくなる特性（分光分布）を有する。ハーフレートキャリッジ５８は、第２ミラー７０及び第３ミラー７２を有し、原稿読取装置１４内で副走査方向に半ストロークの移動をするようにされている。
【００２２】
レンズ６０は、フルレートキャリッジ５６及びハーフレートキャリッジ５８の移動範囲の上方に設けられたプラテンガラス５４に載置された原稿、又は搬送原稿読取位置７４を通る原稿などに対し、ＣＶＴガラス７６を介して第１の光源６６が照射した光の反射光を、第１ミラー６８、第２ミラー７０及び第３ミラー７２を介して受け入れて結像させる。
【００２３】
光電変換素子６２は、レンズ６０による反射光の結像位置で反射光を受光し、例えばＲＧＢそれぞれのフィルタ（原色フィルタ）が設けられたフォトダイオードによって画素単位のＲ（赤）、Ｇ（緑）、Ｂ（青紫）それぞれの光量に対応するアナログの電気信号を、処理制御部６４に対して出力する例えば３ラインカラーＣＣＤである。
【００２４】
処理制御部６４は、光電変換素子６２から入力される電気信号を画像データとして処理するとともに、原稿読取装置１４を構成する各部を制御する。なお、処理制御部６４は、画像形成部１２を構成する各部を制御する制御部（図示せず）とともに、画像形成部１２内に配置されていてもよい。
【００２５】
また、搬送原稿読取位置７４の近傍には、第１の光源６６が照射した光を反射する基準白色板（図示せず）が設けられており、第１の光源６６が基準白色板に対して照射した光の反射光を、第１ミラー６８、第２ミラー７０、第３ミラー７２及びレンズ６０を介して光電変換素子６２が受光できるようにされている。
【００２６】
原稿読取装置１４がプラテンガラス５４に載置された原稿の表面の画像を読み取る場合には、原稿に向けて第１の光源６６が光を照射しつつ、フルレートキャリッジ５６及びハーフレートキャリッジ５８がそれぞれ走査方向に移動することにより、原稿の表面全面に対応する反射光を光電変換素子６２が順次受光する。
【００２７】
自動原稿送り装置４８は、多数の原稿が載置される原稿台８０と、原稿を搬送する原稿搬送路８２と、画像を読み取った後の原稿が排出される排出台８４とを有する。原稿搬送路８２は、Ｕ字状に形成され、搬送装置を構成するナジャーロール８６、フィードロール８８、プリレジストロール９０、レジストロール９２、プラテンロール９４、アウトロール９６及び排出ロール９８とが設けられている。ナジャーロール８６は、原稿送り時に下降し、原稿台８０に載置された原稿をピックアップする。フィードロール８８は、ナジャーロール８６から送られた原稿を捌き、最上部にある原稿のみを供給する。プリレジストロール９０は、フィードロール８８から送られた原稿を一時停止させ、斜行補正をするようになっている。レジストロール９２は、プリレジストロール９０から送られた原稿を一時停止させ、読み取りタイミングを採るようにする。プラテンロール９４は、原稿搬送路８２を通る原稿をＣＶＴガラス７６に対峙させる。原稿を排出する場合は、アウトロール９６及び排出ロール９８を介して排出台８４へ排出する。
【００２８】
さらに、レジストロール９２の原稿搬送方向の上流側には、第１のセンサ１００が配置されており、レジストロール９２の原稿搬送方向の下流側には、第２のセンサ１０２が配置されている。第１のセンサ１００は、原稿がレジストロール９２に近づくタイミングを検出し、検出結果を後述する自動原稿送り装置制御部１１０に対して出力する。第２のセンサ１０２は、原稿がレジストロール９２からプラテンロール９４に向けて搬送されるタイミングを検出し、検出結果を自動原稿送り装置制御部１１０に対して出力する。
【００２９】
また、上述した密着型イメージセンサ５２は、アウトロール９６と排出ロール９８との間に配置され、原稿の裏面を上方から読み取るようにされている。密着型イメージセンサ５２の下方には、基準白色板１０４が原稿搬送路８２を挟んで密着型イメージセンサ５２に対向するように配置されている。基準白色板１０４は、上方に向けられた反射面が画像読み取りの基準となる白色にされており、密着型イメージセンサ５２の後述する第２の光源部１５２が照射した光を白色に対する基準反射光として密着型イメージセンサ５２に向けて反射する。
【００３０】
図３は、原稿読取装置１４の構成の概要を示すブロック図である。
図３に示すように、原稿読取装置１４は、コントローラ１０６、第１の画像読取制御部１０８、自動原稿送り装置制御部１１０、ロール制御部１１２、走査制御部１１４、照明制御部１１６及び第２の画像読取制御部１１８を例えば処理制御部６４内に有する。
【００３１】
コントローラ１０６は、図示しないＣＰＵを含み、例えばタッチパネルなどのユーザインターフェイス（ＵＩ）装置１２０を介して入力される設定に応じて、第１の画像読取制御部１０８を介して原稿読取装置１４を構成する各部を制御する。第１の画像読取制御部１０８は、コントローラ１０６の制御に応じて動作し、縮小光学系５０を制御することによって原稿の表面の画像に対応する画像信号を取得するとともに、自動原稿送り装置制御部１１０及び第２の画像読取制御部１１８との間で原稿の画像を読み取るための通信を行う。ここで、第１の画像読取制御部１０８は、図示しないＣＰＵを含み、ＲＯＭ１２２が記憶するプログラムを読み出して動作し、縮小光学系５０の第１の光源６６に対する設定などをＮＶＭ（Non Volatile Memory：不揮発性メモリ）１２４に記憶させる。また、第１の画像読取制御部１０８は、フルレートキャリッジ５６及びハーフレートキャリッジ５８を移動させるために回転するモータ１２６を制御する走査制御部１１４と、縮小光学系５０の第１の光源６６を制御する照明制御部１１６とを制御する。
【００３２】
自動原稿送り装置制御部１１０は、図示しないＣＰＵを含み、第１の画像読取制御部１０８との間で通信を行い、フィードロール８８、プリレジストロール９０、レジストロール９２、プラテンロール９４、アウトロール９６及び排出ロール９８を駆動する各モータ（図示せず）を制御するロール制御部１１２を制御し、第１のセンサ１００及び第２のセンサ１０２の検出結果を受け入れて、原稿の表面の領域（読み取り期間）を示す原稿表面領域信号、及び原稿の裏面の領域（読み取り期間）を示す原稿裏面領域信号を第１の画像読取制御部１０８に対して出力する。
【００３３】
第２の画像読取制御部１１８は、ＲＡＭ１２８及び演算部１３０を含み、第１の画像読取制御部１０８との間で通信を行い、図示しないクロックに同期するＬＳ（ライン同期信号）を生成し、第１の画像読取制御部１０８を介して受け入れた原稿裏面領域信号に応じて密着型イメージセンサ５２を制御することにより、原稿の裏面の画像に対応する画像信号を取得する。ＲＡＭ１２８は、密着型イメージセンサ５２が基準白色板１０４による反射光から読み取った画像データと、後述する第２の光源部１５２が点灯していない状態におけるオフセットとしての基準白色板１０４による反射光（黒出力）から読み取った画像データとを画素ごとに記憶する。演算部１３０は、ＲＡＭ１２８が記憶する画像データそれぞれに対し、各色ごとに全画素の平均値を算出し、各色の階調範囲を算出した結果を用いて、後述する光量比を算出する機能を有する。
ここで、第２の画像読取制御部１１８は、図示しないＣＰＵを含み、ＲＯＭ１３２が記憶するプログラムを読み出して動作し、ＮＶＭ（Non Volatile Memory：不揮発性メモリ）１３４が記憶する所定の初期値に応じて密着型イメージセンサ５２を制御し、密着型イメージセンサ５２に対する新たな設定などをＮＶＭ１３４に記憶させて、密着型イメージセンサ５２を制御するようにされている。
【００３４】
次に、密着型イメージセンサ５２について詳述する。
図４乃至図６において、密着型イメージセンサ５２の構成が示されている。
密着型イメージセンサ５２は、例えば発振器１３６、センサ制御部１３８、点灯時間率（デューティ）調整部１４０、ＬＥＤ駆動部１４２−１〜１４２−３、赤色発光ダイオード（Ｒ−ＬＥＤ）１４４−１〜１４４−４、緑色発光ダイオード（Ｇ−ＬＥＤ）１４６−１〜１４６−４、青色発光ダイオード（Ｂ−ＬＥＤ）１４８−１〜１４８−４、導光管１５０−１，１５０−２、ロッドレンズアレイ１５４及び光電変換素子１５６を有する。
【００３５】
発振器１３６は、所定の周波数のクロック（ＣＬＫ）を生成し、センサ制御部１３８に対して出力する。センサ制御部１３８は、発振器１３６から入力されるクロックと、第２の画像読取制御部１１８から入力されるライン同期信号（ＬＳ）とを受け入れ、第２の画像読取制御部１１８の制御に応じて、点灯時間率調整部１４０及び光電変換素子１５６を制御する。ここで、センサ制御部１３８は、点灯時間率調整部１４０に対してクロック及びライン同期信号を出力する。また、センサ制御部１３８は、光電変換素子１５６から入力されるアナログのカラー画像信号（ＲＧＢ）をＡ／Ｄ変換する機能を含み、第２の画像読取制御部１１８の制御に応じて、所定の階調値のカラーの画像信号又は所定の階調値のモノクロ画像信号を第２の画像読取制御部１１８に対して出力する。
【００３６】
点灯時間率調整部１４０は、センサ制御部１３８からクロック及びライン同期信号を受け入れ、センサ制御部１３８の制御に応じて、所定のクロック数の期間のみ赤色発光ダイオード１４４−１〜１４４−４を点灯させるためのＲ色点灯制御信号をＬＥＤ駆動部１４２−１に対して出力し、所定のクロック数の期間のみ緑色発光ダイオード１４６−１〜１４６−４を点灯させるためのＧ色点灯制御信号をＬＥＤ駆動部１４２−２に対して出力し、所定のクロック数の期間のみ青色発光ダイオード１４８−１〜１４８−４を点灯させるためのＢ色点灯制御信号をＬＥＤ駆動部１４２−３に対して出力する。
【００３７】
図７は、点灯時間率調整部１４０が出力するＲ色点灯制御信号、Ｇ色点灯制御信号及びＢ色点灯制御信号と、ライン同期信号との関係を示すタイミングチャートである。
図７に示すように、ライン同期信号は、所定の周期で繰り返される立下りの間隔が１ラインの画像を読み取る期間となるように生成された信号である。Ｒ色点灯制御信号、Ｇ色点灯制御信号及びＢ色点灯制御信号は、いずれもＬレベルの場合に発光ダイオード（ＬＥＤ）を点灯させるように制御する信号である。
【００３８】
点灯時間率調整部１４０は、ライン同期信号の立下りを基準にして、所定のクロック数に対応するＬＥＤ点灯開始時間の経過後にＲ色点灯制御信号、Ｇ色点灯制御信号及びＢ色点灯制御信号をＬレベルにする。つまり、点灯時間率調整部１４０は、ライン同期信号の立下りを基準にして、赤色発光ダイオード１４４−１〜１４４−４、緑色発光ダイオード１４６−１〜１４６−４及び青色発光ダイオード１４８−１〜１４８−４を同時に点灯させる。
【００３９】
また、点灯時間率調整部１４０は、ライン同期信号の立下りを基準にして、まず、所定のクロック数に対応するＬＥＤ点灯終了時間（Ｒ色初期値、Ｇ色初期値、Ｂ色初期値）の経過後にＲ色点灯制御信号、Ｇ色点灯制御信号及びＢ色点灯制御信号をＨレベルにするようにされている。ただし、Ｒ色点灯制御信号及びＢ色点灯制御信号には、緑色発光ダイオード１４６−１〜１４６−４の光量に対し、赤色発光ダイオード１４４−１〜１４４−４及び青色発光ダイオード１４８−１〜１４８−４の光量がそれぞれ所定の比率になるように、ＬＥＤの点灯時間を短くすることが可能なＲ色調整範囲及びＢ色調整範囲がそれぞれ設けられている。
そして、点灯時間率調整部１４０は、センサ制御部１３８の制御に応じて、緑色発光ダイオード１４６−１〜１４６−４の光量に対し、赤色発光ダイオード１４４−１〜１４４−４及び青色発光ダイオード１４８−１〜１４８−４の光量がそれぞれ所定の比率（Ｒの光量：Ｇの光量：Ｂの光量が所定の目標値）になるように、赤色発光ダイオード１４４−１〜１４４−４及び青色発光ダイオード１４８−１〜１４８−４の点灯時間をそれぞれ調整する。
【００４０】
なお、点灯時間率調整部１４０は、赤色発光ダイオード１４４−１〜１４４−４、緑色発光ダイオード１４６−１〜１４６−４及び青色発光ダイオード１４８−１〜１４８−４がそれぞれ発光した光を合成した光の分光分布が第１の光源６６の分光分布に近づくように、赤色発光ダイオード１４４−１〜１４４−４及び青色発光ダイオード１４８−１〜１４８−４の点灯時間をそれぞれ調整するようにされている。第１の光源６６の分光分布に対し、緑色発光ダイオード１４６−１〜１４６−４の分光分布が最も影響するためである。また、ＬＥＤ点灯開始時間、ＬＥＤ点灯終了時間（Ｒ色初期値、Ｇ色初期値、Ｂ色初期値）、並びに緑色発光ダイオード１４６−１〜１４６−４の光量に対する赤色発光ダイオード１４４−１〜１４４−４及び青色発光ダイオード１４８−１〜１４８−４それぞれの目標光量（Ｇの光量に対するＲの光量の比の目標値、Ｇの光量に対するＢの光量の比の目標値、及び目標値それぞれの許容範囲）は、予めＮＶＭ１３４（図３）に記憶されており、点灯時間率調整部１４０による調整結果は第２の画像読取制御部１１８の制御に応じてＮＶＭ１３４に記憶される。
【００４１】
ＬＥＤ駆動部１４２−１（図４）は、点灯時間率調整部１４０から入力されるＲ色点灯制御信号に応じて所定の駆動電流を赤色発光ダイオード１４４−１〜１４４−４に供給し、赤色発光ダイオード１４４−１〜１４４−４を所定時間点灯させる。ＬＥＤ駆動部１４２−２は、点灯時間率調整部１４０から入力されるＧ色点灯制御信号に応じて所定の駆動電流を緑色発光ダイオード１４４−１〜１４４−４に供給し、緑色発光ダイオード１４４−１〜１４４−４を所定時間点灯させる。ＬＥＤ駆動部１４２−３は、点灯時間率調整部１４０から入力されるＢ色点灯制御信号に応じて所定の駆動電流を青色発光ダイオード１４４−１〜１４４−４に供給し、青色発光ダイオード１４４−１〜１４４−４を所定時間点灯させる。
【００４２】
赤色発光ダイオード１４４−１〜１４４−４は、色光の三原色における赤色に対応する光を発する発光ダイオードである。緑色発光ダイオード１４６−１〜１４６−４は、色光の三原色における緑色に対応する光を発する発光ダイオードである。青色発光ダイオード１４８−１〜１４８−４は、色光の三原色における青紫色に対応する光を発する発光ダイオードである。
図５に示すように、赤色発光ダイオード１４４−１，１４４−２は導光管１５０−１の両端にそれぞれ配置され、緑色発光ダイオード１４６−１，１４６−２は導光管１５０−１の両端にそれぞれ配置され、青色発光ダイオード１４８−１，１４８−２は導光管１５０−１の両端にそれぞれ配置されている。また、赤色発光ダイオード１４４−３，１４４−４は導光管１５０−２の両端にそれぞれ配置され、緑色発光ダイオード１４６−３，１４６−４は導光管１５０−２の両端にそれぞれ配置され、青色発光ダイオード１４８−３，１４８−４は導光管１５０−２の両端にそれぞれ配置されている。
【００４３】
導光管１５０−１，１５０−２は、ロッドレンズアレイ１５４に対してそれぞれ平行に配置されており、赤色発光ダイオード１４４−１〜１４４−４、緑色発光ダイオード１４６−１〜１４６−４及び青色発光ダイオード１４８−１〜１４８−４が発する光をそれぞれ均一化し、均一化した光を原稿搬送路８２側に向けて照射する。
つまり、赤色発光ダイオード１４４−１〜１４４−４、緑色発光ダイオード１４６−１〜１４６−４、青色発光ダイオード１４８−１〜１４８−４及び導光管１５０−１，１５０−２は、第２の光源部１５２を構成している。
【００４４】
ロッドレンズアレイ１５４は、例えばセルフォック（登録商標）レンズアレイなどのレンズファイバー素線を多数配列した光路長の短い正立等倍結像レンズアレイであり、第２の光源部１５２が照射した光の反射光を結像させる。
【００４５】
光電変換素子１５６は、図６に示したイメージセンサ本体１５８の下部に設けられたカバーガラス１６０を介してロッドレンズアレイ１５４が結像させた反射光を受光し、例えばＲＧＢそれぞれのフィルタ（原色フィルタ）が設けられたフォトダイオードによって画素単位のＲ（赤）、Ｇ（緑）、Ｂ（青紫）それぞれの光量に対応するアナログの電気信号（画像信号）を、センサ制御部１３８に対して出力する例えばリニアＣＣＤ（カラー）である。
【００４６】
次に、原稿読取装置１４が赤色発光ダイオード１４４−１〜１４４−４及び青色発光ダイオード１４８−１〜１４８−４の光量を調整（補正）するために行う処理について説明する。
図８は、原稿読取装置１４が赤色発光ダイオード１４４−１〜１４４−４及び青色発光ダイオード１４８−１〜１４８−４の光量を調整（補正）するために行う処理（Ｓ１０）を示すフローチャートである。
図８に示すように、ステップ１００（Ｓ１００）において、第２の画像読取制御部１１８は、赤色発光ダイオード１４４−１〜１４４−４及び青色発光ダイオード１４８−１〜１４８−４の光量補正を実施するか否かを判定し、光量補正を実施する場合にはＳ１０２の処理に進み、光量補正を実施しない場合には処理を終了する。例えば、第２の画像読取制御部１１８は、画像形成装置１０の電源がオンにされた場合に、赤色発光ダイオード１４４−１〜１４４−４及び青色発光ダイオード１４８−１〜１４８−４の光量補正を実施すると判定するようにされている。
【００４７】
ステップ１０２（Ｓ１０２）において、第２の画像読取制御部１１８は、ＮＶＭ１３４が記憶するＬＥＤ点灯開始時間、ＬＥＤ点灯終了時間（Ｒ色初期値、Ｇ色初期値、Ｂ色初期値）を読み込み、密着型イメージセンサ５２に対して初期設定（Ｒ色初期値、Ｇ色初期値、Ｂ色初期値の設定など）を行う。
【００４８】
ステップ１０４（Ｓ１０４）において、第２の画像読取制御部１１８は、赤色発光ダイオード１４４−１〜１４４−４、緑色発光ダイオード１４６−１〜１４６−４及び青色発光ダイオード１４８−１〜１４８−４のいずれも点灯していない状態におけるオフセットとしての基準白色板１０４による反射光から読み取った画像信号（黒出力値）を密着型イメージセンサ５２から取得する。
【００４９】
ステップ１０６（Ｓ１０６）において、第２の画像読取制御部１１８は、センサ制御部１３８及び点灯時間率調整部１４０を介し、緑色発光ダイオード１４６−１〜１４６−４のみをＮＶＭ１３４が記憶するＬＥＤ点灯終了時間に応じて点灯させる。
【００５０】
ステップ１０８（Ｓ１０８）において、第２の画像読取制御部１１８は、緑色発光ダイオード１４６−１〜１４６−４のみが点灯した状態における基準白色板１０４による反射光から読み取ったＧ色光量に対する画像信号（白出力値）を密着型イメージセンサ５２から取得する。
【００５１】
ステップ１１０（Ｓ１１０）において、第２の画像読取制御部１１８は、センサ制御部１３８及び点灯時間率調整部１４０を介し、青色発光ダイオード１４８−１〜１４８−４のみをＮＶＭ１３４が記憶するＬＥＤ点灯終了時間に応じて点灯させる。
【００５２】
ステップ１１２（Ｓ１１２）において、第２の画像読取制御部１１８は、青色発光ダイオード１４８−１〜１４８−４のみが点灯した状態における基準白色板１０４による反射光から読み取ったＢ色光量に対する画像信号（白出力値）を密着型イメージセンサ５２から取得する。
【００５３】
ステップ１１４（Ｓ１１４）において、第２の画像読取制御部１１８は、センサ制御部１３８及び点灯時間率調整部１４０を介し、赤色発光ダイオード１４４−１〜１４４−４のみＮＶＭ１３４が記憶するＬＥＤ点灯終了時間に応じてを点灯させる。
【００５４】
ステップ１１６（Ｓ１１６）において、第２の画像読取制御部１１８は、赤色発光ダイオード１４４−１〜１４４−４のみが点灯した状態における基準白色板１０４による反射光から読み取ったＲ色光量に対する画像信号（白出力値）を密着型イメージセンサ５２から取得する。
【００５５】
ステップ１１８（Ｓ１１８）において、第２の画像読取制御部１１８は、緑色発光ダイオード１４６−１〜１４６−４の光量に対する赤色発光ダイオード１４４−１〜１４４−４及び青色発光ダイオード１４８−１〜１４８−４それぞれの光量比を算出する。
【００５６】
ステップ１２０（Ｓ１２０）において、第２の画像読取制御部１１８は、ＮＶＭ１３４が記憶する緑色発光ダイオード１４６−１〜１４６−４の光量に対する赤色発光ダイオード１４４−１〜１４４−４及び青色発光ダイオード１４８−１〜１４８−４それぞれの目標光量（Ｇの光量に対するＲの光量の比（Ｒ／Ｇ）の目標値、Ｇの光量に対するＢの光量の比（Ｂ／Ｇ）の目標値、及び目標値それぞれの許容範囲）を読み取り、Ｒ／Ｇ及びＢ／Ｇの値が目標範囲内にあるか否かを判定し、いずれかの値が目標範囲内にない場合にはＳ１２２の処理に進み、いずれの値も目標範囲内である場合には処理を終了する。
【００５７】
ステップ１２２（Ｓ１２２）において、第２の画像読取制御部１１８は、Ｓ１２０の処理で光量比が目標範囲内にないと判定された赤色発光ダイオード１４４−１〜１４４−４及び青色発光ダイオード１４８−１〜１４８−４の少なくともいずれかに対し、ＬＥＤ点灯終了時間を調整範囲内で変更し、調整結果を新たな設定としてＮＶＭ１３４に記憶させ、Ｓ１１０の処理に進む。
【００５８】
そして、原稿読取装置１４は、赤色発光ダイオード１４４−１〜１４４−４及び青色発光ダイオード１４８−１〜１４８−４の光量調整が終了すると、光電変換素子１５６が出力する信号レベルを所定のレベルにするＡＧＣ（自動ゲイン制御）処理及びシェーディング処理などを行い、光量調整をされた第２の光源部１５２によって画像を読み取ることができるスタンバイ状態になるようにされている。
【００５９】
また、画像形成装置１０は、両面にカラー画像を形成された原稿を原稿読取装置１４が縮小光学系５０及び密着型イメージセンサ５２により読み取って、画像形成部１２が所定の階調のモノクロ画像を形成する場合などに、ＵＩ装置１２０を介して入力される設定に応じて、Ｒ／Ｇの目標値及びＢ／Ｇの目標値が切り替えられるようにされている。例えば、ＮＶＭ１３４は、Ｒ（赤）、Ｇ（緑）、Ｂ（青紫）、Ｙ（イエロー）、Ｍ（マゼンタ）、Ｃ（シアン）いずれの色に対してもバランスよく濃度が表現されるように設定されたＲ／Ｇの目標値及びＢ／Ｇの目標値と、Ｒ（赤）又はＢ（青紫）などの特定の着目色に対して精度よく濃度が表現されるように設定されたＲ／Ｇの目標値及びＢ／Ｇの目標値などとを記憶している。
【図面の簡単な説明】
【００６０】
【図１】本発明の実施形態に係る画像形成装置の概要を示す側面図である。
【図２】本発明の実施形態に係る原稿読取装置の概要を示す側面図である。
【図３】原稿読取装置の構成の概要を示すブロック図である。
【図４】密着型イメージセンサの構成の概要を示すブロック図である。
【図５】導光管及びロッドレンズアレイを下方から見た平面図である。
【図６】密着型イメージセンサを側方から見た断面図である。
【図７】点灯時間率調整部が出力するＲ色点灯制御信号、Ｇ色点灯制御信号及びＢ色点灯制御信号と、ライン同期信号との関係を示すタイミングチャートである。
【図８】原稿読取装置が赤色発光ダイオード及び青色発光ダイオードの光量を調整（補正）するために行う処理（Ｓ１０）を示すフローチャートである。
【符号の説明】
【００６１】
１０  画像形成装置
１２  画像形成部
１４  原稿読取装置
２２  像保持体
２８  現像装置
３６ａ，３６ｂ，３６ｃ，３６ｄ  現像器
４８  自動原稿送り装置
５０  縮小光学系
５２  密着型イメージセンサ
５４  プラテンガラス
５６  フルレートキャリッジ
５８  ハーフレートキャリッジ
６０  レンズ
６２  光電変換素子
６４  処理制御部
６６  第１の光源
１０４  基準白色板
１０６  コントローラ
１０８  第１の画像読取制御部
１１０  自動原稿送り装置制御部
１１８  第２の画像読取制御部
１２０  ＵＩ装置
１２８  ＲＡＭ
１３０  演算部
１３４  ＮＶＭ
１３６  発振器
１３８  センサ制御部
１４０  点灯時間率調整部
１４２−１〜１４２−３  ＬＥＤ駆動部
１４４−１〜１４４−４  赤色発光ダイオード
１４６−１〜１４６−４  緑色発光ダイオード
１４８−１〜１４８−４  青色発光ダイオード
１５０−１，１５０−２  導光管
１５２  第２の光源部
１５４  ロッドレンズアレイ
１５６  光電変換素子
【図１】
2008124985.tif 000003
【図２】
2008124985.tif 000004
【図３】
2008124985.tif 000005
【図４】
2008124985.tif 000006
【図５】
2008124985.tif 000007
【図６】
2008124985.tif 000008
【図７】
2008124985.tif 000009
【図８】
2008124985.tif 000010